(57)【要約】【課題】デジタルペンから得られる筆跡のイメージ情報を帳票に活用できるようにする。【解決手段】デジタルペン１０は、デジタルペンの筆跡、帳票の種類を示す帳票マーク、帳票の手書き領域を示す領域マークを撮影するためのカメラを有し、このカメラで撮影した情報、又はその情報を加工した情報を無線通信でパソコン等の端末機２０に送信する。端末機２０側では、デジタルペン１０から受信した情報に基づいて筆跡のイメージ情報を作成するとともに、このイメージ情報の付属情報として前記帳票マークや領域マーク等を添付したイメージファイルを作成する。これにより、所望の帳票の適所に筆跡のイメージ情報を合成した電子的な帳票を作成することができる。【選択図】　　　図１
2004086273.tif 000002
【特許請求の範囲】
【請求項１】
デジタルペンの筆跡を検出するための検出手段と、
前記デジタルペンでの手書き操作時に前記検出手段によって検出された情報に基づいて筆跡のイメージ情報を作成する手段と、
帳票上の複数の手書き領域と各手書き領域を特定するための領域マークとの関係を記憶する記憶手段と、
前記検出手段によって検出された前記帳票上の手書き領域を示す領域マークと前記記憶手段の記憶内容に基づいて前記筆跡のイメージ情報を出力する領域を特定する特定手段と、
を備えたことを特徴とするデジタルペン式帳票入力システム。
【請求項２】
前記記憶手段は、帳票の複数の種類と各帳票を特定するための帳票マークとの関係を記憶し、前記特定手段は、前記検出手段によって検出された前記帳票を特定するための帳票マークと前記記憶手段の記憶内容に基づいて前記筆跡のイメージ情報を出力する帳票を特定することを特徴とする請求項１のデジタルペン式帳票入力システム。
【請求項３】
前記筆跡のイメージ情報から文字を認識する文字認識手段であって、予め文字認識対象の指定領域を示す情報が印刷された帳票への執筆時に得られた筆跡のイメージ情報のうち、前記指定領域内の筆跡のイメージ情報のみを文字認識の対象とする文字認識手段を有することを特徴とする請求項１のデジタルペン式帳票入力システム。
【請求項４】
前記筆跡のイメージ情報が保存されたファイルを作成・保存するファイル作成手段であって、前記文字認識手段によって文字認識した文字情報を含む付属情報が添付されたファイルを作成・保存するファイル作成手段を有し、前記文字認識した文字情報に基づいてファイル検索を可能にしたことを特徴とする請求項３のデジタルペン式帳票入力システム。
【請求項５】
筆圧センサを有する前記デジタルペンと、執筆者と該執筆者の筆跡のイメージ情報及び筆圧パターンとの関係を記憶する記憶手段と、署名時に得られる筆跡のイメージ情報及び前記筆圧センタによって検出される筆圧パターンと前記記憶手段に記憶された筆跡のイメージ情報及び筆圧パターンとを照合して執筆者を認証する認証手段とを有することを特徴とする請求項１のデジタルペン式帳票入力システム。
【請求項６】
固有の識別情報を有するデジタルペンと、該デジタルペンでの執筆時に前記識別情報を取り込む取込手段と、前記筆跡のイメージ情報が保存されたファイルを作成するファイル作成手段とを備え、前記取り込んだ識別情報又は該識別情報に対応した執筆者と前記イメージ情報の作成日時とを含む付属情報が添付されたファイルを前記ファイル作成手段に作成させ、前記付属情報に基づいてファイル管理を可能にしたことを特徴とする請求項１のデジタルペン式帳票入力システム。
【請求項７】
前記デジタルペンでの執筆時に前記認証手段が認証した執筆者の情報を取り込む取込手段と、前記筆跡のイメージ情報が保存されたファイルを作成するファイル作成手段であって、前記取り込んだ執筆者と前記イメージ情報の作成日時とを含む付属情報が添付されたファイルを作成するファイル作成手段とを有し、前記付属情報に基づいてファイル管理を可能にしたことを特徴とする請求項５のデジタルペン式帳票入力システム。
【請求項８】
前記筆跡のイメージ情報が保存されたファイルを作成・保存するファイル作成手段であって、前記筆跡のイメージ情報の作成日時と前記特定手段によって特定された帳票の手書き領域の情報を含む付属情報が添付されたファイルを作成・保存するファイル作成手段を有し、該ファイル作成手段は、同じ手書き領域に対して異なる作成日時の筆跡のイメージ情報に対し、それぞれ前記付属情報を有する別のファイルを作成・保存することを特徴とする請求項１のデジタルペン式帳票入力システム。
【請求項９】
前記筆跡のイメージ情報が保存されたファイルを作成・保存するファイル作成手段であって、前記筆跡のイメージ情報の作成日時と前記特定手段によって特定された帳票の手書き領域の情報を含む付属情報が添付されたファイルを作成・保存するファイル作成手段を有し、該ファイル作成手段は、同じ手書き領域に対して異なる作成日時の筆跡のイメージ情報を同一ファイルに保存するとともに、作成日時ごとにイメージ情報の色彩を変えることを特徴とする請求項１のデジタルペン式帳票入力システム。
【発明の詳細な説明】
【０００１】
【発明の属する技術分野】
本発明はデジタルペン式帳票入力システムに係り、特に帳票の手書き領域にデジタルペンから得られる筆跡のイメージ情報を記入することが可能なデジタルペン式帳票入力システムに関する。
【０００２】
【従来の技術】
近年、特開２００２−１６３３５６号公報のようなペン入力を使った診断支援システムが提案されている。
【０００３】
【発明が解決しようとする課題】
ところで、上記従来技術はペン入力で入力された情報がテキスト等に変換されてしまうため、入力した操作者のくせによる識別情報が消されてしまうものであった。よって、診療録（カルテ）、診療報酬請求書、検査依頼票などの帳票には、予め印刷されている領域と操作者の識別情報を持った手書きの領域とがあるが、デジタルペンで記入した筆跡のイメージ情報には、帳票の種類や各帳票の手書き領域に関する情報がないため、所望の帳票の手書き領域にイメージ情報をモニタ表示用に合成出力したり、プリント出力したり、カルテなどの同一書式の帳票での患者識別をすることができなかった。
【０００４】
本発明はこのような事情に鑑みてなされたもので、デジタルペンから得られる筆跡のイメージ情報を帳票に活用することができるデジタルペン式帳票入力システムを提供することを目的とする。
【０００５】
【課題を解決するための手段】
前記目的を達成するために請求項１に係るデジタルペン式帳票入力システムは、デジタルペンの筆跡を検出するための検出手段と、前記デジタルペンでの手書き操作時に前記検出手段によって検出された情報に基づいて筆跡のイメージ情報を作成する手段と、帳票上の複数の手書き領域と各手書き領域を特定するための領域マークとの関係を記憶する記憶手段と、前記検出手段によって検出された前記帳票上の手書き領域を示す領域マークと前記記憶手段の記憶内容に基づいて前記筆跡のイメージ情報を出力する領域を特定する特定手段と、を備えたことを特徴としている。
【０００６】
デジタルペンから得られる筆跡のイメージ情報は、例えば帳票の手書き領域に貼付け合成したり、紙の帳票の手書き領域にプリントする際に出力されるが、前記特定手段は、前記筆跡のイメージ情報を帳票のいずれの手書き領域に出力するかを特定するようにしている。即ち、前記検出手段は、筆跡の検出と同様に帳票の手書き領域を特定するための領域マークの検出が可能である。前記領域マークは、デジタルペンを使用して、例えば領域マークが記録されているテンプレートから取り込むことができる。このようにして検出された領域マークと前記記憶手段の記憶内容とに基づいて該記憶手段から対応する手書き領域を読み出すことができる。
【０００７】
請求項２に示すように前記記憶手段は、帳票の複数の種類と各帳票を特定するための帳票マークとの関係を記憶し、前記特定手段は、前記検出手段によって検出された前記帳票を特定するための帳票マークと前記記憶手段の記憶内容に基づいて前記筆跡のイメージ情報を出力する帳票を特定することを特徴としている。
【０００８】
請求項３に示すように前記筆跡のイメージ情報から文字を認識する文字認識手段であって、予め文字認識対象の指定領域を示す情報が印刷された帳票への執筆時に得られた筆跡のイメージ情報のうち、前記指定領域内の筆跡のイメージ情報のみを文字認識の対象とする文字認識手段を有することを特徴としている。前記指定領域を示す情報としては、帳票に印刷されたマークや指定領域の枠などであり、このマークや枠から文字認識するための筆跡のイメージ情報の領域を特定している。
【０００９】
請求項４に示すように前記筆跡のイメージ情報が保存されたファイルを作成・保存するファイル作成手段であって、前記文字認識手段によって文字認識した文字情報を含む付属情報が添付されたファイルを作成・保存するファイル作成手段を有し、前記文字認識した文字情報に基づいてファイル検索を可能にしたことを特徴としている。
【００１０】
請求項５に示すように筆圧センサを有する前記デジタルペンと、執筆者と該執筆者の筆跡のイメージ情報及び筆圧パターンとの関係を記憶する記憶手段と、署名時に得られる筆跡のイメージ情報及び前記筆圧センタによって検出される筆圧パターンと前記記憶手段に記憶された筆跡のイメージ情報及び筆圧パターンとを照合して執筆者を認証する認証手段とを有することを特徴としている。即ち、筆跡のイメージ情報と筆圧パターンの双方で執筆者を認証し、筆跡の模倣による誤認証を防止できるようにしている。
【００１１】
請求項６に示すように、固有の識別情報を有するデジタルペンと、該デジタルペンでの執筆時に前記識別情報を取り込む取込手段と、前記筆跡のイメージ情報が保存されたファイルを作成するファイル作成手段とを備え、前記取り込んだ識別情報又は該識別情報に対応した執筆者と前記イメージ情報の作成日時とを含む付属情報が添付されたファイルを前記ファイル作成手段に作成させ、前記付属情報に基づいてファイル管理を可能にしたことを特徴としている。デジタルペン固有の識別情報としては、デジタルペンの機器番号などである。デジタルペンと、その所有者（執筆者）とが一対一に対応している場合には、その識別情報から執筆者を特定することができる。
【００１２】
請求項７に示すように、前記デジタルペンでの執筆時に前記認証手段が認証した執筆者の情報を取り込む取込手段と、前記筆跡のイメージ情報が保存されたファイルを作成するファイル作成手段であって、前記取り込んだ執筆者と前記イメージ情報の作成日時とを含む付属情報が添付されたファイルを作成するファイル作成手段とを有し、前記付属情報に基づいてファイル管理を可能にしたことを特徴としている。
【００１３】
請求項６又は７に係る発明によれば、ファイルに保存された筆跡のイメージ情報が、何時、誰によって書かれたものかが分かる。
【００１４】
請求項８に示すように、前記筆跡のイメージ情報が保存されたファイルを作成・保存するファイル作成手段であって、前記筆跡のイメージ情報の作成日時と前記特定手段によって特定された帳票の手書き領域の情報を含む付属情報が添付されたファイルを作成・保存するファイル作成手段を有し、該ファイル作成手段は、同じ手書き領域に対して異なる作成日時の筆跡のイメージ情報に対し、それぞれ前記付属情報を有する別のファイルを作成・保存することを特徴としている。
【００１５】
請求項９に示すように、前記筆跡のイメージ情報が保存されたファイルを作成・保存するファイル作成手段であって、前記筆跡のイメージ情報の作成日時と前記特定手段によって特定された帳票の手書き領域の情報を含む付属情報が添付されたファイルを作成・保存するファイル作成手段を有し、該ファイル作成手段は、同じ手書き領域に対して異なる作成日時の筆跡のイメージ情報を同一ファイルに保存するとともに、作成日時ごとにイメージ情報の色彩を変えることを特徴としている。
【００１６】
請求項８又は９に係る発明によれば、帳票の手書き領域に対して最初に執筆された筆跡のイメージ情報か、その後に追加等がされた筆跡のイメージ情報かが分かる。
【００１７】
【発明の実施の形態】
以下、添付図面に従って本発明に係るデジタルペン式帳票入力システムの好ましい実施の形態について詳説する。
【００１８】
図１は本発明に係るデジタルペン式帳票入力システムの概略のシステム構成図である。
【００１９】
同図に示すように、このデジタルペン式帳票入力システムは、例えば病院などに設けられ、デジタルペン１０と無線通信するパソコンなどの端末機２０と、管理サーバ３０と、及びプリンタ４０とが病院内のローカルエリアネットワーク（ＬＡＮ）５０によって接続されて構成されている。
【００２０】
デジタルペン１０と端末機２０は、病院内の診療部門、検査を行う検査部門、薬を処方する薬剤部門、会計処理等を行う医事部門などに設置される。尚、デジタルペン１０と端末機２０の数は任意であり、また、デジタルペン１０と該デジタルペン１０と無線通信する端末機２０とは一対一に対応していなくてもよく、１台の端末機２０に対して複数のデジタルペン１０が通信接続できるようになっている。また、この実施の形態では、医師、看護婦、技師、事務員などの執筆者は、それぞれ自分専用のデジタルペン１０をもっているものとする。
【００２１】
管理サーバ３０は、患者の識別情報（患者ＩＤ）、患者名、年齢性別等の患者情報を一元管理するための患者データベースや、患者ＩＤにより検索可能な診療録（カルテ）、診療報酬請求書、検査依頼票などの各種の帳票のデータを管理する帳票データベースを有し、各端末機２０との間で必要な情報の送受信や、各端末機２０から送信された情報の保存などを行う。
【００２２】
プリンタ４０は、各端末機２０からのプリント指示により適宜の帳票を印刷出力する。
【００２３】
次に、デジタルペン１０の構造について説明する。
【００２４】
図２に示すように、このデジタルペン１０は、通常のボールペンと同様にインク１１で紙上に筆記するためのペン機能と、ペン先の筆圧を検出する筆圧センサ１２と、ペン先（この例では、ペン先の下側に隣接する所定の範囲）を撮影するカメラ１３と、プロセッサ１４と、バッテリィー１５と、メモリ１６と、無線通信機１７とから構成されている。カメラ１３は、後述するデジタルペーパに印刷された赤外線インクのドットマークを撮影する小型の赤外線カメラであり、無線通信機１７は、例えば、ブルートゥース規格の省電力・近距離無線を行うものである。
【００２５】
プロセッサ１４は、筆記時に筆圧センサ１２によって測定された筆圧データと、筆記中（筆圧センサ１２によって筆圧が検出されている期間）の赤外線カメラ１３からの画像信号と、デジタルペン１０に内蔵された時計機能から時刻データとを取り込む。そして、プロセッサ１４は、カメラ１３からの画像信号に基づいてペン先の位置データを検出し、その位置データとともに各位置データに対応する筆圧データ、時刻データ等をメモリ１６に保存する。メモリ１６に一時保存されたデータは、無線通信機１７により端末機２０に送信される。
【００２６】
図３に示すようにデジタルペーパ１８は、赤外線インクによって特殊なドットパターンが印刷されたデジタルペン１０用の専用紙である。このデジタルペーパ１８上には、ドット（点）が約０．３ｍｍごとに配置され、各ドットは、それぞれ格子の交叉点から上下左右の４つの位置のうちのいずれかの位置にずれている。ドットパターンは、６×６ドット分を一単位として定義されており、そのパターン数は、ドット３６個の組み合わせの数、即ち、４の３６乗分存在する。
【００２７】
この４３６個のドットパターンにより、面積換算で約６０００万ｋｍ２　（Ａ４用紙にして約９７兆枚分）の面積の絶対位置を定義することができる。デジタルペン１０は、デジタルペーパ１８上のドットパターンを読み取ることで、その読み取ったドットパターンに割り当てられたＸ，Ｙ座標（ペン先の位置データ）を検出することができる。尚、ドットパターンは、赤外線インクによって印刷されているため、人間の目には見えないようになっている。また、この実施の形態では、デジタルペン１０が撮影したドットパターンからペン先の位置データを求め、これを端末機２０に送信するようにしたが、これに限らず、ペン先の位置データから筆跡のイメージ情報を作成し、このイメージ情報を端末機２０に送信してもよく、逆に、ドットパターンのイメージ情報を端末機２０に送信し、端末機２０側で受信したドットパターンのイメージ情報からペン先の位置データを検出したり、イメージ情報を作成してもよい。
【００２８】
次に、上記構成のデジタルペン１０の操作方法及びデジタルペン式帳票入力システムの処理内容について、図４のフローチャートを参照しながら説明する。
【００２９】
いま、デジタルペン１０のペン機能によって紙ベースのカルテに主訴／所見等の所要の内容を筆記する一方、同じ内容の電子的なカルテ（以下、「電子カルテ」という）を作成する場合について説明する。
【００３０】
デジタルペン１０は、端末機２０の通信エリア内に入ると、自動的に端末機２０と無線接続される。個々のデジタルペン１０は、ペン固有の識別情報（デジタルペン機器番号）を有しており、このデジタルペン機器番号を読み出し、これを端末機２０に送信することで、端末機２０又は管理サーバ３０側で執筆者を特定できるようになっている（ステップＳ１０、１２）。
【００３１】
執筆者は、例えば、図５に示す紙ベースの帳票に書誌的事項（例えば、患者ＩＤ、患者名等の患者情報や、作成年月日など）を記入する。また、この記入に伴って、又はデジタルペン１０でのマーク読取操作により、書誌的事項の記入欄の領域（図５上の領域２、３）の指定や、患者ＩＤの特定、帳票マークの検出などが行われる（ステップＳ１４、Ｓ１６、Ｓ１８）。
【００３２】
図５に示すカルテの各領域１〜６は手書き領域であり、これらの領域１〜６には、図３で説明したドットパターンが赤外線インクによって印刷されている。尚、帳票の種類を示す領域１には、予め帳票の種類を示す文字が印刷されていてもよく、この場合にはデジタルペン１０による帳票名の記入を省略することができる。
【００３３】
いま、図５の領域２の太枠内に患者ＩＤをデジタルペン１０で記入すると、その患者ＩＤを示す筆跡の時々刻々の位置データ等がデジタルペン１０から端末機２０に送信される。端末機２０は、筆跡の時々刻々の位置データ等から筆跡のイメージ情報を作成する。また、端末機２０は、前記位置データから、その位置データのドットパターンを有する領域２を特定することができ、前記作成した筆跡のイメージ情報は、領域２内のイメージ情報（即ち、患者ＩＤのイメージ情報）であることを特定することができる。
【００３４】
端末機２０は、イメージ情報から文字を認識し、そのイメージ情報を文字コード情報に変換する文字認識機能を有しており、また、予め決められた領域内のイメージ情報のみを文字認識するように設定できるようなっている。例えば、領域２内のイメージ情報（即ち、領域２内の位置データを有するイメージ情報）のみを文字認識するように設定することで、患者ＩＤのみを文字認識することができる。このとき、領域２には、予め患者ＩＤが記入されることが分かっているため、患者ＩＤ以外の文字（例えば、アルファベットや数字以外の文字）の文字認識は行わないようにすることで、文字認識精度を上げることができる。
【００３５】
尚、このようにして文字認識された患者ＩＤの文字コード情報は、電子カルテ等のファイルのヘッダーに記録され、ファイル検索などに利用される。
【００３６】
また、ステップＳ１６での患者ＩＤの特定は、デジタルペン１０で予め患者の診察券などに印刷されている患者固有のマーク（ドットパターンやバーコード）を読み取ることによって行うようにしてもよい。デジタルペン１０は、前述したようにドットパターンを読み取ることによってペン先の位置データを検出することができるようになっているが、ドットパターンのパターン数は、４３６個あるため、患者ごとにその患者を特定するためのドットパターンを割り当てるとともに、そのドットパターンと患者ＩＤとを対応付けることで、患者ＩＤを特定することができる。
【００３７】
また、患者ＩＤの特定は文字認識機能を用いて行うことも可能である。特に、次の場合のように、カルテの診療追記記載には有効な事例となる。
【００３８】
帳票対応のマークを認識することなどで、カルテ等の帳票確定が可能になるが、さらに同一の帳票に対して、患者確定をすることで、帳票記載対象の患者の特定化が可能になり、すでに記載済の同一患者の帳票ファイルに追加診療・検査等の事項の作成記載、保管が可能となる。
【００３９】
ここでの患者確定の手段として、帳票表示が可能な場合と不可能な場合により以下のような実施例が考えられる。
【００４０】
カルテ等の帳票表示が可能な場合には、必要患者の帳票を表示することで、患者ＩＤ、名前などの記載の閲覧が可能になるため、新たな項目追加の中で、患者ＩＤなどを文字認識対象域にデジタルペンで記載することで、同一患者の帳票ファイルに追加記載が可能になる。
【００４１】
帳票表示が不可能な場合には、診察券や患者情報（ＩＤ、名前等）記載事項を検査、処方箋、入院などの診療に伴う各場面で情報を活用することで、帳票表示が可能な場合と同様に患者ＩＤなどを文字認識対象域にデジタルペンで記載することで可能になる。
【００４２】
ステップＳ１８における帳票マークの検出は、デジタルペン１０によって領域１内のドットパターンを読み取ることよって行うことができる。即ち、端末機２０は、デジタルペン１０から領域１内のドットパターンを受信した場合には、執筆対象となる帳票がカルテであると認識することができる。尚、領域１内のドットパターンに限らず、他の領域２〜６内のドットパターンを受信した場合にも、これらの領域において、他の帳票に使用されるドットパターンとは異なるドットパターンを使用することで、執筆対象となる帳票がカルテであると認識することができる。
【００４３】
ステップＳ１８によって帳票マークが検出されると、その帳票マークによって執筆対象となる帳票が定義される。この実施の形態ではカルテが定義される（ステップＳ２０、Ｓ２２）。
【００４４】
次に、執筆者は、図５に示したカルテの領域４、５又は６を特定し、その特定した領域にデジタルペン１０で執筆する。これらの領域４〜６にも赤外線インクによってドットパターンが印刷されているため、紙ベースのカルテにデジタルペン１０で主訴／所見などの事項を記入すると、端末機２０は、その記入した内容を示すイメージ情報を取得することができる。また、各領域４〜６において、異なるドットパーンを使用することで、端末機２０は、上記イメージ情報が、領域４、５又は６のうちのいずれの領域に記入されたものかを検知することができる。即ち、各領域４〜６のドットマークは、帳票上の絶対的な位置を表すとともに、領域を特定する領域マークとしても機能する。
【００４５】
従って、端末機２０は、イメージ情報を、紙ベースのカルテに記入された領域と同じ電子カルテ上の領域にイメージ情報を配置する（貼り付ける）ことができる（ステップＳ２４、Ｓ２６）。
【００４６】
即ち、端末機２０に電子カルテとして、紙ベースのカルテと同じフォームのファイルを準備しておき、端末機２０は、このフォームのファイルの手書き領域に貼り付けるためのイメージファイルを作成する。このイメージファイルは、デジタルペン１０によって紙ベースのカルテに主訴／所見等が記入されると、その記入した内容を示す筆跡のイメージ情報を有するイメージファイルとして作成される。また、このイメージファイルには、、患者ＩＤ、イメージ情報の作成日時、執筆者、帳票の種別情報（帳票マーク）、該帳票の手書き領域の情報（領域マーク）等の付属情報が添付される。これにより、前記付属情報によってイメージファイルのファイル検索ができるとともに、前記フォームのファイルを開いたときに、前記イメージファイルが貼り付けられた電子カルテを生成することができる。また、前記付属情報によって電子カルテに貼り付けられた手書きのイメージ情報が、いつ、誰によって書かれたかを確認することができる。尚、前記イメージ情報の作成日時は、デジタルペン１０から得られる執筆時刻の情報に基づいて、又は端末機２０に内蔵の時計機能によって自動的にファイルに添付される。
【００４７】
このようにして作成された電子化された帳票は、管理サーバ３０に保存され、アクセス権を有する利用者によって利用される。
【００４８】
上記の実施の形態では、紙ベースの帳票があり、この帳票にデジタルペン１０で記入するとともに、電子化された帳票を作成する場合について説明したが、以下、紙ベースの帳票がない場合について説明する。
【００４９】
この場合には、例えば、図６に示すような帳票定義テンプレート５０を準備するとともに、メモ書きとして使用する図３に示したデジタルペーパ１８を準備する。
【００５０】
執筆者は、まず、帳票定義テンプレート５０から所望の帳票を定義する帳票マークをデジタルペン１０で読み取らせる。ここで、カルテ書式１の帳票マークを読み取らせる場合には、図７に示すようにカルテ書式１の「帳票」の前方の黒丸５１ａにデジタルペン１０のペン先を合わせて適度の筆圧をかける。この黒丸５１ａの下側には、カルテ書式１を示す帳票マーク（赤外線インクのドットパターン）が印刷されており、デジタルペン１０は、筆圧を検出するとカメラ１３を動作させて上記帳票マークを読み取り、これを端末機２０に無線送信する。
【００５１】
同様にして、カルテ書式１の手書き領域（例えば、患者ＩＤ、診察日、主訴／所見などの記録領域）を定義する場合には、それらの領域に対応する領域マークをデジタルペン１０で読み取らせる。このようにして手書き領域を定義した後、デジタルペン１０でデジタルペーパ１８上に記入する。
【００５２】
いま、デジタルペン１０でデジタルぺーパ１８上の任意の位置に患者ＩＤを記入すると、その患者ＩＤを示す筆跡の時々刻々の位置データ等がデジタルペン１０から端末機２０に送信される。端末機２０は、筆跡の時々刻々の位置データから筆跡のイメージ情報を作成することができ、また、このイメージ情報にカルテ書式１を示す帳票情報や患者ＩＤの領域を示す領域情報などの付属情報が添付されたイメージファイルを作成することができる。このようにして作成されたイメージファイルのイメージ情報は、該イメージファイルの付属情報に基づいてカルテ書式１のフォームのファイルの患者ＩＤの領域に貼り付けることができる。
【００５３】
尚、予め患者の診察券などに印刷されている患者固有のＩＤマーク（ドットパターン）をデジタルペン１０で読み取り、これを端末機２０に無線送信することで、端末機２０側で患者ＩＤを特定することもでき、この場合には、患者ＩＤの手書き入力を省略することができる。
【００５４】
また、端末機２０は、イメージ情報を文字認識して得た患者ＩＤ、又はデジタルペン１０で読み取ったＩＤマークから特定した患者ＩＤに基づいて管理サーバ３０から同じ患者のカルテ書式１の電子化されたファイルを読み出し、これを端末機２０のモニタに表示することができる。尚、同じ患者のカルテ書式１の電子化されたファイルが管理サーバ３０に保存されていない場合には、新規にファイルを作成するとともに、このファイルを端末機２０のモニタに表示する。
【００５５】
カルテの既にイメージ情報を有する領域に対して、例えば異なる日に検査結果などのイメージ情報を追記したい場合がある。この場合には、追記したいイメージ情報に添付される付属情報（例えば、患者ＩＤ、帳票情報、手書き領域の情報等）は、イメージ情報の作成日時を除いて過去に作成されたイメージファイルの付属情報と同じになる。
【００５６】
端末機２０は、新たに取得した筆跡のイメージ情報の付属情報と、イメージ情報の作成日時以外の付属情報とが一致する過去のイメージファイルがある場合には、前記新たに取得した筆跡のイメージ情報を、前記過去のイメージファイルに保存された筆跡のイメージ情報とは異なる色彩で、同一のイメージファイルに保存する。これにより電子カルテ上で一目で作成日時の異なるイメージ情報を認識することができる。また、同一のイメージファイルに複数のイメージ情報をもたせる場合には、各イメージ情報の作成日時などの履歴（即ち、各イメージ情報の付属情報）を残すことが好ましい。
【００５７】
また、端末機２０は、新たに取得した筆跡のイメージ情報の付属情報と、イメージ情報の作成日時以外の付属情報とが一致する過去のイメージファイルがある場合には、前記新たに取得した筆跡のイメージ情報に付属情報を添付した別のイメージファイルを作成し、これを保存するようにしてもよい。
【００５８】
次に、執筆者を特定（認証）する他の実施の形態について説明する。
【００５９】
前述した実施の形態では、執筆者所有のデジタルペン１０の製品番号によって執筆者を特定するようにしたが、以下の実施の形態では、執筆者の筆跡等によって執筆者を認証するようにしている。
【００６０】
即ち、予め執筆者がデジタルペン１０で署名したときの筆跡のイメージ情報と、筆圧センサ１２から得られる筆圧パターンとを各執筆者ごとに記憶したデータベースを管理サーバ３０に準備しておく。端末機２０は、任意の執筆者がデジタルペン１０で署名したときに得られる筆跡のイメージ情報と筆圧パターンを、管理サーバ３０に送信する。
【００６１】
管理サーバ３０では、端末機２０から受信した筆跡のイメージ情報と筆圧パターンと、前記データベースで管理されている筆跡のイメージ情報と筆圧パターンとを照合し、両者が一致した場合に執筆者を特定し、その特定した執筆者の個人情報を端末機２０に送信する。これにより、端末機２０は、その後、デジタルペン１０から取得した筆跡のイメージ情報に対する執筆者を特定することができる。
【００６２】
尚、本発明は、図３に示したドットパターンを有する紙を使用するデジタルペン１０に限らず、例えば、ペン先の位置を赤外線などによって検出するタイプの公知のデジタルペンにも適用でき、要はデジタルペンのペン先の位置データが得られるものであれば、如何なるものでもよい。
【００６３】
また、赤外線マークからなるドットパターンを撮影するデジタルペン１０に限らず、筆圧検出時にペン先を含む所定の領域を、可視光の波長範囲で感度を有する又は光線的カメラで連続的に撮影し、連続的に得られる画像を繋ぎ合わせて全体の筆跡のイメージ情報を作成するものでもよい。尚、ペン先を含む所定の領域としては、例えば、図５に示した領域２に患者ＩＤを記入したときに、領域２の太枠を含むイメージ情報が得られる領域とする。これによれば、太枠によって文字認識するためのイメージ情報の範囲を特定することができる。即ち、上記のようにして作成したイメージ情報内に太枠がある場合には、その太枠内のイメージ情報を文字認識させることができる。
【００６４】
更に、帳票の種類や手書き領域を特定するために、デジタルペン１０で帳票マークや領域マーク（この実施の形態では、いずれもドットパターン）を読み取るようにしたが、これに限らず、帳票マークや領域マークを描き、この筆跡のイメージ情報を文字認識や形状認識することで、帳票マークや領域マークを検知するようにしてもよい。
【００６５】
また、この実施の形態のデジタルペン式帳票入力システムは、デジタルペンと端末機の他に管理サーバを有しているが、本発明はデジタルペンと端末機（パソコン等）のみでシステムを構成してもよい。
【００６６】
【発明の効果】
以上説明したように本発明によれば、デジタルペンから得られる筆跡のイメージ情報に、予め手書き領域が決まっている帳票の手書き領域の情報を持たせるようにしたため、帳票の適所に筆跡のイメージ情報を合成した電子的な帳票を作成したり、紙の帳票の適所に筆跡のイメージ情報をプリントすることができる。
【図面の簡単な説明】
【図１】本発明に係るデジタルペン式帳票入力システムの概略のシステム構成図
【図２】デジタルペンの構造の一例を示す図
【図３】図２に示したデジタルペンに使用されるデジタルペーパを説明するために用いた図
【図４】デジタルペンの操作方法及び本発明に係るデジタルペン式帳票入力システムの処理内容を説明するために用いたフローチャート
【図５】本発明に係るデジタルペン式帳票入力システムに適用される帳票の一例を示す図
【図６】本発明に係るデジタルペン式帳票入力システムに適用される帳票定義テンプレートの一例を示す図
【図７】図６の要部拡大図
【符号の説明】
１、２、３、４、５、６…領域、１０…デジタルペン、１１…インク、１２…筆圧センサ、１３…カメラ、１４…プロセッサ、１７…無線通信機、１８…デジタルペーパ、２０…端末機、３０…管理サーバ
【図１】
2004086273.tif 000003
【図２】
2004086273.tif 000004
【図３】
2004086273.tif 000005
【図４】
2004086273.tif 000006
【図５】
2004086273.tif 000007
【図６】
2004086273.tif 000008
【図７】
2004086273.tif 000009
【手続補正書】
【提出日】平成14年8月26日(2002.8.26)
【手続補正１】
【補正対象書類名】図面
【補正対象項目名】全図
【補正方法】変更
【補正の内容】
【図１】
2004086273.tif 000010
【図２】
2004086273.tif 000011
【図３】
2004086273.tif 000012
【図４】
2004086273.tif 000013
【図５】
2004086273.tif 000014
【図６】
2004086273.tif 000015
【図７】
2004086273.tif 000016